(57)【要約】      （修正有）【課題】織物折り畳みの労働強度を低減させるだけでなく、快速に織物を収納することができ、効率が向上する織物収納装置を提供する。【解決手段】底座１を含む織物収納装置であって、底座１の頂部表面に箱体２が取付けられており、箱体２の頂部に箱蓋３が設けられており、箱蓋３の頂部表面の中部に供給管４が嵌設接続されており、箱体２内の両側壁の頂部にそれぞれスライダーが取付けられており、スライダーの取出側に案内ブラケットが取付けられており、箱体２の両内側壁の底部にそれぞれＰＴＣ放熱シートが取付けられており、ＰＴＣ放熱シートの一側にカバーが設けられており、箱体２の表面の一側に制御手段９が取付けられており、制御手段９は保護ボックス、温度調節スイッチとメインスイッチからなる。織物を収納でき、供給管によって操作者が便利に織物を箱体中へ導入でき、織物を折り畳むことができる。【選択図】図１
0003233823.tif 000002
【実用新案登録請求の範囲】
【請求項１】
底座（１）を含む織物収納装置であって、前記底座（１）の頂部表面に箱体（２）が取
付けられており、前記箱体（２）の頂部に箱蓋（３）が設けられており、前記箱蓋（３）
の頂部表面の中部に供給管（４）が嵌設接続されており、前記箱体（２）内の両側壁の頂
部にそれぞれ直線状滑り台（５）が取付けられており、前記直線状滑り台（５）の取出側
に案内ブラケット（６）が取付けられており、前記箱体（２）の両内側壁の底部にそれぞ
れＰＴＣ放熱シート（７）が取付けられており、前記ＰＴＣ放熱シート（７）の一側にく
りぬき型カバー（８）が設けられており、前記箱体（２）の表面の一側に制御手段（９）
が取付けられており、前記制御手段（９）は保護ボックス（９０１）、温度調節スイッチ
（９０２）とメインスイッチ（９０３）からなることを特徴とする前記織物収納装置。
【請求項２】
前記くりぬき型カバー（８）の一端と箱体（２）の内側壁とが接続されていることを特
徴とする請求項１に記載の織物収納装置。
【請求項３】
前記保護ボックス（９０１）の表面頂部に温度調節スイッチ（９０２）が取付けられて
おり、且つ前記温度調節スイッチ（９０２）はワイヤによってＰＴＣ放熱シート（７）に
電気接続されていることを特徴とする請求項１に記載の織物収納装置。
【請求項４】
前記温度調節スイッチ（９０２）の底部にメインスイッチ（９０３）が設けられており
、且つ前記メインスイッチ（９０３）はワイヤによってそれぞれ直線状滑り台（５）と温
度調節スイッチ（９０２）に電気接続されていることを特徴とする請求項１に記載の織物
収納装置。
【請求項５】
前記制御手段（９）の一側に観察窓（１０）が設けられていることを特徴とする請求項
１に記載の織物収納装置。
【請求項６】
前記観察窓（１０）は箱体（２）の表面に嵌設されていることを特徴とする請求項５に
記載の織物収納装置。
【請求項７】
前記箱体（２）はバックル（１１）によって箱蓋（３）に着脱自由に接続されているこ
とを特徴とする請求項１に記載の織物収納装置。
【請求項８】
前記バックル（１１）は複数組設けられていることを特徴とする請求項７に記載の織物
収納装置。
【請求項９】
前記箱体（２）の両外側壁にそれぞれプルタブ（１２）が取付けられていることを特徴と
する請求項１に記載の織物収納装置。
【請求項１０】
前記プルタブ（１２）が箱蓋（３）の側壁表面の中心位置に位置していることを特徴とす
る請求項９に記載の織物収納装置。
【考案の詳細な説明】
【技術の分野】
【０００１】
本実用新案は織物の収納手段の分野に関するもので、特に織物収納装置に関する。
【従来の技術】
【０００２】
織物は細くて柔らかいものを交差、巻き結び、および連結させて構成される平軟片の塊
状ものである。機織物は交差関係を呈する糸で構成されるものである。ニット織物は巻き
結び関係を呈する糸で構成されるものである。不織物は連結関係を呈する糸で構成される
ものである。第三織物は交差・巻き結び関係を呈する糸で構成されるものである。数多く
の糸が、安定的関係とできれば、織物ができ上がる。交差、巻き結び、連結は、それぞれ
三種類の糸で構成され得る安定構造関係である。よって安定的形態および特定の機械的性
質を織物に維持させる。織物中の糸群およびその動作方向、また動作規律と形成との関係
について分析することは、様々な織物を明確的に識別することのキーである。
【０００３】
ところが、従来の織物収納は以下の欠点を有する。
【０００４】
従来の織物収納装置は、収納する織物を手動によって折り畳む必要がある。操作者の労働
強度を増えるだけでなく、置くことには不便であり、織物収納の効率が低い。また、従来
の織物収納装置は乾燥機能を具備せず、細菌が繁殖しやすい。
【考案の概要】
【０００５】
本実用新案の目的は、上記背景の技術に記載した、従来の織物収納装置においては、収
納する織物を手動により折り畳む必要がある。操作者の労働強度を増えるだけでなく、置
くことに不便であり、織物の収納効率を低い、また乾燥機能を具備せず、細菌が繁殖しや
すいという欠点を克服できる織物収納装置を提供することにある。
【０００６】
上記の目的を実現するために、本実用新案は、下記の織物収納装置を提供する。該織物収
納装置は、底座を含み、前記底座の頂部表面に箱体が取付けられており、前記箱体の頂部
に箱蓋が設けられており、前記箱蓋の頂部表面の中部に供給管が嵌設接続されており、前
記箱体内の両側壁の頂部にそれぞれ直線状滑り台が取付けられており、前記直線状滑り台
の取出側に案内ブラケットが取付けられており、前記箱体の両内側壁の底部にそれぞれＰ
ＴＣ放熱シートが取付けられており、前記ＰＴＣ放熱シートの一側にくりぬき型カバーが
設けられており、前記箱体の表面の一側に制御手段が取付けられており、前記制御手段は
保護ボックス、温度調節スイッチとメインスイッチからなる。このようにして箱体と箱蓋
によって織物を収納することができる。また、直線状滑り台によって案内ブラケットを往
復移動させることができるので、織物を折りたたむことができる。それで労働強度を下げ
ることができるとともに、快速に織物を収納することができる。ＰＴＣ放熱シートと制御
手段によって、箱体内の織物を乾燥することができるので、織物に細菌が発生することを
防止できる。
【０００７】
好ましくは、前記くりぬき型カバーの一端と箱体の内側壁とが接続されているので、織物
をくりぬき型カバーによってＰＴＣ放熱シートと隔離させることができ、安全上の危険を
避ける。
【０００８】
好ましくは、前記保護ボックスの表面頂部に温度調節スイッチが取付けられ、且つ温度調
節スイッチがワイヤによってＰＴＣ放熱シートに電気接続されているので、温度調節スイ
ッチによってＰＴＣ放熱シートの動作を制御することができる。
【０００９】
好ましくは、前記温度調節スイッチの底部にメインスイッチが設けられ、且メインスイッ
チがワイヤによってそれぞれ直線状滑り台と温度調節スイッチに電気接続されるので、メ
インスイッチによって快適に直線状滑り台と温度調節スイッチの動作を制御することがで
き、直線状滑り台と温度調節スイッチの使用便利性をさらに向上することができる。
【００１０】
好ましくは、前記制御手段の一側に観察窓が設けられているので、操作者が便利に箱体に
おける織物の収納量を観察することができ、適時的に織物の収納を停止させるようにでき
る。
【００１１】
好ましくは、前記観察窓が箱体の表面に嵌設されている。
【００１２】
好ましくは、前記箱体がバックルによって箱蓋に着脱自由に接続されているので、操作者
が便利に箱体と箱蓋を開閉することができ、箱体を清潔することができる。
【００１３】
好ましくは、前記バックルは具体的に複数組設けられているので、箱体と箱蓋の確実的接
続を強化する。  
【００１４】
好ましくは、前記箱体の両外側壁にそれぞれプルタブが取付けられているので、操作者が
便利に箱体を搬送することができ、織物収納装置の使用便利性を向上する。
【００１５】
好ましくは、前記プルタブが箱蓋の側壁表面の中心位置に位置するので、操作者が容易に
操作することができる。
【００１６】
従来の技術と比べて、本実用新案の有益な効果は以下の通りである。
（１）本実用新案は底座によって箱体に支持機能を提供する。箱体の頂部に箱蓋が設けら
れているので、織物を収納することができる。供給管によって操作者が便利に織物を箱体
中へ導入することができる。案内ブラケットによって織物の一端を挿入させて、織物の他
端を重力の作用にて自然落下させるようにできる。そして直線状滑り台に連動して案内ブ
ラケットによって織物を箱体内で往復揺動させることができ、織物を往復的に折り畳むよ
うに機能できる。織物折り畳みの労働強度を低減させるだけでなく、快速に織物を収納す
ることができ、動作効率を向上する。
【００１７】
（２）本実用新案では、温度調節スイッチがワイヤによってＰＴＣ放熱シートに電気接続
されるので、温度調節スイッチによってＰＴＣ放熱シートの動作を制御することができ、
それによりＰＴＣ放熱シートに発熱させ、箱体内の織物を乾燥することができ、織物に細
菌が発生することを防止できる。ＰＴＣ発熱シートにおいては、いかなる応用状況におい
ても、電熱管類ヒーターの表面のように「赤み」現象が発生することがない。そのため火
傷、火災などの安全リスクはない。また、くり抜き型のカバーによって、織物をくりぬき
型カバーを介してＰＴＣ発熱シートと隔離させることができるので、さらに安全上の潜在
的危険を低減する。メインスイッチはワイヤによって直線滑り台と温度調節スイッチに電
気接続されるので、メインスイッチによって快適に直線状滑り台と温度調節スイッチの動
作を制御することができ、直線状滑り台と温度調節スイッチの使用便利性を向上する。
【００１８】
（３）本実用新案では、観察窓によって操作者が便利に箱体における織物の収納量を観察
することができ、適時的に織物の収納を停止することができる。またバックルによって、
操作者が便利に箱体と箱蓋を開閉することができ、箱体を清潔することができる。またプ
ルタブによって、操作者が便利に箱体を搬送することができ、織物収納装置の使用便利性
を向上する。
【図面の簡単な説明】
【００１９】
【図１】図１は本実用新案の全体構成模式図である。
【図２】図２は本実用新案の断面構成模式図である。
【図３】図３は本実用新案の案内ブラケットの構成模式図である。
【図４】図４は本実用新案のＡ部の構成模式図である。
【図５】図５は本実用新案の制御手段の構成模式図である。
【考案を実施するための形態】
【００２０】
以下、本実用新案の実施例および図面を利用して、本実用新案実施例中における技術案
をさらに明確的に、十分的に説明する。
【００２１】
図１〜５に示されるように、本実用新案は織物収納装置を提供する。底座１を含む。前記
底座１の頂部表面に箱体２が取付けられている。前記箱体２の頂部に箱蓋３が設けられて
いる。前記箱蓋３の頂部表面の中部に供給管４が嵌設接続されている。前記箱体２内の両
側壁頂部にそれぞれ直線状滑り台５が取付けられている。前記直線状滑り台５の取出側に
案内ブラケット６が取付けられている。前記箱体２の両内側壁の底部にそれぞれＰＴＣ放
熱シート７が取付けられている。前記ＰＴＣ放熱シート７の一側にくりぬき型カバー８が
設けられている。前記箱体２の表面一側に制御手段９が取付けられている。前記制御手段
９は保護ボックス９０１、温度調節スイッチ９０２とメインスイッチ９０３からなる。こ
のようにして箱体２と箱蓋３によって織物を収納することができる。また直線状滑り台５
によって案内ブラケット６を往復移動させることができることにより、織物を折りたたむ
ことができる。それで労働強度を下げることができ、快速に織物を収納することができる
。ＰＴＣ放熱シート７と制御手段９によって、箱体内の織物を乾燥することができるので
、織物に細菌が発生することを防止できる。
【００２２】
前記くりぬき型カバー８の一端と箱体２の内側壁とが接続されているので、織物をくりぬ
き型カバー８を介してＰＴＣ放熱シート７と隔離させることができ、安全上のリスクを回
避できる。
【００２３】
前記保護ボックス９０１の表面頂部に温度調節スイッチ９０２が取付けられ、且つ温度調
節スイッチ９０２がワイヤによってＰＴＣ放熱シート７に電気接続されているので、温度
調節スイッチ９０２によってＰＴＣ放熱シート７の動作を制御することができる。
【００２４】
前記温度調節スイッチ９０２の底部にメインスイッチ９０３が設けられ、且メインスイッ
チ９０３がワイヤによってそれぞれ直線状滑り台５と温度調節スイッチ９０２に電気接続
されるので、メインスイッチ９０３によって快適に直線状滑り台５と温度調節スイッチ９
０２の動作を制御することができ、直線状滑り台５と温度調節スイッチ９０２の使用便利
性をさらに向上することができる。
【００２５】
前記制御手段９１の一側に観察窓１０が設けられているので、操作者が便利に、箱体２に
おける織物の収納量を観察することができ、適宜に織物の収納を停止させるようにできる
。
【００２６】
前記観察窓１０が箱体２の表面に嵌設されている。
【００２７】
前記箱体２がバックル１１によって箱蓋３に着脱自由に接続されているので、操作者が便
利に箱体２と箱蓋３を開閉することができ、箱体２を清潔することができる。
【００２８】
前記バックル１１は具体的に複数組設けられているので、箱体２と箱蓋３との接続をより
確実的にさせる。
【００２９】
前記箱体２の両外側壁にそれぞれプルタブ１２が取付けられているので、操作者が便利に
箱体を搬送することができ、織物収納装置の使用便利性を向上する。
【００３０】
前記プルタブ２が箱蓋３の側壁表面の中心位置に位置するので、操作者が容易に操作する
ことができる。
【００３１】
織物収納装置の動作に際しては、以下のとおり特筆すべきである。
底座１の頂部表面に箱体２を取り付けることにより、底座１によって箱体２に支持機能を
提供する。箱体２の頂部に箱蓋３が設けられることにより、織物を収納することができる
。箱蓋３の頂部表面の中部に供給管４が嵌設接続されることにより、操作者が便利に織物
を箱体２中へ導入することができる。箱体２内の両側壁の頂部にそれぞれ直線状滑り台５
が取付けられるとともに、前記直線状滑り台５の取出側に案内ブラケット６が取付けられ
ることにより、案内ブラケット６によって織物の一端を挿入させるとともに、織物の他端
を重力の作用にて自然落下させるようにできる。このようにして直線状滑り台５に連動し
て案内ブラケット６によって織物を箱体２内で往復揺動させることができる。それによっ
て、織物を往復的に折り畳むように機能することができる。それで織物の折り畳み労働の
強度を低減させるだけでなく、快速に織物を収納し、動作効率を向上することができる。
箱体２の両内側壁の底部にそれぞれＰＴＣ放熱シート７が取付けられるとともに、保護ボ
ックス９０１の表面頂部に温度調節スイッチ９０２が取付けられており、且つ温度調節ス
イッチ９０２がワイヤによってＰＴＣ放熱シート７に電気接続されていることにより、温
度調節スイッチ９０２によってＰＴＣ放熱シート７の動作を制御することができる。それ
によって、ＰＴＣ放熱シートに発熱させ、箱体内の織物を乾燥することができ、織物に細
菌が発生することを防止できる。また、いかなる応用状況においても、ＰＴＣ発熱シート
では、電熱管類ヒーターの表面のように「赤み」現象が発生することがない。そのため火
傷、火災などの安全リスクはない。また、ＰＴＣ放熱シート７の一側にくりぬき型カバー
８が設けられるので、くりぬき型カバー８を介して織物をＰＴＣ発熱シート７と隔離させ
ることができることにより、さらに安全上の潜在的危険を低減する。メインスイッチ９０
３はワイヤによって直線滑り台５と温度調節スイッチ９０２に電気接続されることにより
、メインスイッチ９０３によって快適に直線状滑り台５と温度調節スイッチ９０２の動作
を制御することができ、直線状滑り台５と温度調節スイッチ９０２の使用便利性を向上す
る。前記制御手段９の一側に観察窓１０が設けられるとともに、該観察窓１０を箱体２の
表面に嵌設するように構成されるので、操作者が便利に箱体２における織物の収納量を観
察することができ、適時に織物の収納を停止させるようにできる。箱体２がバックル１１
によって箱蓋３に着脱自由に接続されるとともに、該バックル１１が複数組設けられるこ
とにより、操作者が便利に箱体２と箱蓋３を開閉することができ、箱体２を清潔すること
ができる。箱体２の両外側壁にそれぞれプルタブ１２が取付けられるとともに、プルタブ
１２が箱蓋３の側壁表面の中心位置に位置するので、操作者が便利に箱体２を搬送するこ
とができ、織物収納装置の使用便利性を向上することができる。
【符号の説明】
【００３２】
１  底座
２  箱体
３  箱蓋
４  供給管
５  直線状滑り台
６  案内ブラケット
７  ＰＴＣ放熱シート
８  くりぬき型カバー
９  制御手段
９０１  保護ボックス
９０２  温度調節スイッチ
９０３  メインスイッチ
１０  観察窓
１１  バックル
１２  プルタブ
【図１】
0003233823.tif 000003
【図２】
0003233823.tif 000004
【図３】
0003233823.tif 000005
【図４】
0003233823.tif 000006
【図５】
0003233823.tif 000007
【手続補正書】
【提出日】令和3年7月4日(2021.7.4)
【手続補正１】
【補正対象書類名】実用新案登録請求の範囲
【補正対象項目名】全文
【補正方法】変更
【補正の内容】
【実用新案登録請求の範囲】
【請求項１】
底座（１）を含む織物収納装置であって、前記底座（１）の頂部表面に箱体（２）が取
付けられており、前記箱体（２）の頂部に箱蓋（３）が設けられており、前記箱蓋（３）
の頂部表面の中部に供給管（４）が嵌設接続されており、前記箱体（２）内の両側壁の頂
部にそれぞれスライダー（５）が取付けられており、前記スライダー（５）の取出側に案
内ブラケット（６）が取付けられており、前記箱体（２）の両内側壁の底部にそれぞれＰ
ＴＣ放熱シート（７）が取付けられており、前記ＰＴＣ放熱シート（７）の一側にカバー
（８）が設けられており、前記箱体（２）の表面の一側に制御手段（９）が取付けられて
おり、前記制御手段（９）は保護ボックス（９０１）、温度調節スイッチ（９０２）とメ
インスイッチ（９０３）からなることを特徴とする前記織物収納装置。
【請求項２】
前記カバー（８）の一端と箱体（２）の内側壁とが接続されていることを特徴とする請
求項１に記載の織物収納装置。
【請求項３】
前記保護ボックス（９０１）の表面頂部に温度調節スイッチ（９０２）が取付けられて
おり、且つ前記温度調節スイッチ（９０２）はワイヤによってＰＴＣ放熱シート（７）に
電気接続されていることを特徴とする請求項１に記載の織物収納装置。
【請求項４】
前記温度調節スイッチ（９０２）の底部にメインスイッチ（９０３）が設けられており
、且つ前記メインスイッチ（９０３）はワイヤによってそれぞれスライダー（５）と温度
調節スイッチ（９０２）に電気接続されていることを特徴とする請求項１に記載の織物収
納装置。
【請求項５】
前記制御手段（９）の一側に観察窓（１０）が設けられていることを特徴とする請求項
１に記載の織物収納装置。
【請求項６】
前記観察窓（１０）は箱体（２）の表面に嵌設されていることを特徴とする請求項５に
記載の織物収納装置。
【請求項７】
前記箱体（２）はバックル（１１）によって箱蓋（３）に着脱自由に接続されているこ
とを特徴とする請求項１に記載の織物収納装置。
【請求項８】
前記バックル（１１）は複数組設けられていることを特徴とする請求項７に記載の織物
収納装置。
【請求項９】
前記箱体（２）の両外側壁にそれぞれプルタブ（１２）が取付けられていることを特徴と
する請求項１に記載の織物収納装置。
【請求項１０】
前記プルタブ（１２）が箱蓋（３）の側壁表面の中心位置に位置していることを特徴とす
る請求項９に記載の織物収納装置。